(57)【要約】【課題】  簡素かつコンパクトな構造で、積層シートを最後まで取出し易くすること。【解決手段】  積層シート１００を収納するとともに、該積層シート１００の取出し口２１を上面に備えた容器本体１０と、容器本体１０の取出し口２１を開閉する蓋３０とを有してなる容器１であって、容器本体１０の相対する壁１１、１２の間隔より長い板状弾性体４０の両端部を、それら相対する壁１１、１２の内面における中間高さ位置に支持し、板状弾性体４０の上に積層シート１００を載置してなるもの。【選択図】  図１
2011025971.tif 000002
【特許請求の範囲】
【請求項１】
積層シートを収納するとともに、該積層シートの取出し口を上面に備えた容器本体と、
容器本体の取出し口を開閉する蓋とを有してなる容器であって、
容器本体の相対する壁の間隔より長い板状弾性体の両端部を、それら相対する壁の内面における中間高さ位置に支持し、
板状弾性体の上に積層シートを載置してなる容器。
【請求項２】
前記板状弾性体は、積層シートが載置されていない自由状態で、容器本体の取出し口の側へ弓形に曲がるアーチ状をなすように、該板状弾性体の両端部を容器本体の相対する壁の内面に支持してなる請求項１に記載の容器。
【発明の詳細な説明】
【技術分野】
【０００１】
本発明は容器に関する。
【背景技術】
【０００２】
ティッシュー等の積層シートを収納する容器において、シートの内容量が少なくなってもシートを取出し易くしたものとして、特許文献１、２に記載のものがある。
【０００３】
特許文献１に記載の容器は、容器本体の底面に、積層シートの包装体を押上げるための復元弾性を有するベロー状の支持体を設ける。包装体を、シートの減少に伴なって、容器本体の取出し口の側へ押上げて取出し易くしようとしたものである。
【０００４】
特許文献２に記載のティッシュー包装体は容器の内蓋内面に着脱可能であり、ティッシュー包装体の外装シートの側面に高さ方向へ収縮可能な弾性材料を伸長状態で設けたものである。ティッシュー包装体は、ティッシューの残量が少なくなるにつれて、外装シートが側面において高さ方向に収縮するから、ティッシューが踊ることがなく、連続して取出しできるようにしたものである。
【先行技術文献】
【特許文献】
【０００５】
【特許文献１】実開昭60-150969
【特許文献２】特開平8-80981
【発明の概要】
【発明が解決しようとする課題】
【０００６】
特許文献１に記載の容器は、容器本体の内部にベロー状の支持体を設置するものであり、ベロー状の支持体が嵩張って、容器本体がその分だけ大型になる。
【０００７】
特許文献２に記載のティッシュー包装体は、内蓋の内面にティッシュー包装体を着脱する構造が必要になるし、ティッシュー包装体毎に収縮可能な弾性材料を設ける必要があり、複雑でコスト高になる。
【０００８】
本発明の課題は、簡素かつコンパクトな構造で、積層シートを最後まで取出し易くすることにある。
【課題を解決するための手段】
【０００９】
請求項１の発明は、積層シートを収納するとともに、該積層シートの取出し口を上面に備えた容器本体と、容器本体の取出し口を開閉する蓋とを有してなる容器であって、容器本体の相対する壁の間隔より長い板状弾性体の両端部を、それら相対する壁の内面における中間高さ位置に支持し、板状弾性体の上に積層シートを載置してなるようにしたものである。
【発明の効果】
【００１０】
本発明の容器は、容器本体の相対する壁の内面における中間高さ位置に支持した板状弾性体の上に積層シートを載置することにより、簡素かつコンパクトな構造で、積層シートを最後まで取出し易くすることができる。
【図面の簡単な説明】
【００１１】
【図１】図１は容器を示す模式断面図である。
【図２】図２は容器を示す模式平面図である。
【図３】図３は容器の使用方法を示す模式図である。
【発明を実施するための形態】
【００１２】
図１、図２に示す容器１は、容器本体１０と蓋３０とを有する。容器本体１０は、例えばプラスチック製であり、上面開口の有底直方体状をなし、上面に着脱自在に嵌着されて一体をなす天蓋２０の中央に取出し口２１を備える。容器本体１０は、天蓋２０を取外した状態で積層シート１００を収納可能にし、天蓋２０を取付けた状態で積層シート１００の上層側のシートを１枚ずつ取出し口２１からつまみ出して取出し可能にする。尚、積層シート１００は、図３に示す如く、包装体１０１に包装された状態で容器本体１０に収納されても良く、包装体１０１に包装されない状態で容器本体１０に収納されても良い。
【００１３】
蓋３０は、例えばプラスチック製であり、容器本体１０の天蓋２０の取出し口２１を開閉可能にする。蓋３０は、天蓋２０にヒンジ結合されるものでも良く、着脱されるものでも良い。容器１は、蓋３０により容器本体１０の天蓋２０の取出し口２１を閉じたとき、容器本体１０の内部スペースを外界に対して密閉できる密閉性容器とすることができ、例えば積層シートに含ませてある薬液の揮散を防止することができる。
【００１４】
容器１は、容器本体１０の相対する壁１１、１２の間隔Ｌ（図１、図２）より長い板状弾性体４０の両端部を、それら相対する壁１１、１２の内面における中間高さ位置に設けた取付部１３、１４に支持する。板状弾性体４０は、例えば金属、プラスチック、又はエラストマー等の平板状の板ばねからなる。板状弾性体４０の両端部は、容器本体１０の取付部１３、１４に設けられる孔に植え込まれる如くに挿入固定される等により、取付部１３、１４に対し回転不能に固定的に支持される。
【００１５】
容器１は、積層シート１００を板状弾性体４０の上に載せて容器本体１０の中に押し込み収納した後、容器本体１０に被着される天蓋２０の取出し口２１まわりの内面により積層シート１００の上面外周を保持する。
【００１６】
このとき、板状弾性体４０は、積層シート１００が載置されていない自由状態で、容器本体１０の取出し口２１の側へ向けて凸の弓形に曲がるアーチ状をなすように、板状弾性体４０の両端部を容器本体１０の取付部１３、１４に回転不能に固定的に支持される。
【００１７】
容器１は、以上の構成を具備することにより、以下の作用効果を奏するものになる。
(a)容器本体１０の相対する壁１１、１２の間隔Ｌより長い板状弾性体４０の両端部を、それら相対する壁１１、１２の内面における中間高さ位置に支持し、板状弾性体４０の上に積層シート１００を載置する。積層シート１００を板状弾性体４０の上に載せて容器本体１０の中に押し込み収納して保持したとき、板状弾性体４０に付与される押し込み力が該板状弾性体４０を上向きに凸をなす自由状態から下向きに凸をなすように押し込み弾性変形させるとともに、容器本体１０の相対する壁１１、１２の内面に回転不能に固定的に支持されている板状弾性体４０の両端付根部を大きく曲げ変形させ、この付根部の曲げ変形に起因する弾性力が板状弾性体４０に上向き復元力を付与するものになる。板状弾性体４０は積層シート１００が減少するに従い、この上向き復元力により上向きに復元して積層シート１００に押上力を付与し、積層シート１００を容器本体１０の取出し口２１の側へ確実に押上げて取出し易くする。単純な板ばね等からなる板状弾性体４０を唯１部品用いるだけの簡素で低コストの構造により、積層シート１００を最後まで取出し易くすることができる。
【００１８】
(b)容器本体１０の相対する壁１１、１２の間隔Ｌより長い板状弾性体４０の両端部を、それら相対する壁１１、１２の内面における中間高さ位置に、固定的に支持するだけで、板状弾性体４０を容器本体１０の内部に安易に組付けできる。
【００１９】
(c)板状弾性体４０を容器本体１０の相対する壁１１、１２の内面における中間高さ位置に支持したから、板状弾性体４０は容器本体１０の支持点（取付部１３、１４）と底面１５との間に十分な押し込みスペース（上向きに凸をなす自由状態から下向きに凸をなすように押し込み弾性変形される反転スペース）を確保され、小さな押し込み力で容易に押し込み弾性変形せしめられるものになるから、積層シート１００を容器本体１０の中に小さな押し込み力で容易に押し込み収納できる。
【００２０】
(d)積層シート１００を容器本体１０の中に押し込み収納するとき、板状弾性体４０を容器本体１０の底面１５に近接する位置まで押し込み弾性変形でき、板状弾性体４０を容器本体１０の底面１５上にコンパクトに設けるとともに、板状弾性体４０の上に載置される積層シート１００が容器本体１０の内部に占める収納容量を容器本体１０の概ね全高近くまで大きくとることができる。
【００２１】
(e)板状弾性体４０は積層シート１００の残量が大きいときには大きく押し込み弾性変形されて下向きに凸をなし、積層シート１００の下面の広い範囲を安定的に押上げる。積層シート１００の残量が少なくなると、板状弾性体４０は押し込み弾性変形が小さくなって上向きに凸をなし、積層シート１００の下面の中央を押上げ、最上層のシートを取出し口２１の中央でつまみ出し易くする。
【００２２】
(f)板状弾性体４０は、積層シート１００が載置されていない自由状態で、容器本体１０の取出し口２１の側へ弓形に曲がるアーチ状をなすように、板状弾性体４０の両端部を容器本体１０の相対する壁１１、１２の内面に支持する。これにより、積層シート１００を板状弾性体４０の上に載せて容器本体１０の中に押し込み収納するとき、板状弾性体４０に前述(a)の上向き復元力を確実に付与できる。
【産業上の利用可能性】
【００２３】
本発明は、容器において、簡素かつコンパクトな構造で、積層シートを最後まで取出し易くすることができる。
【符号の説明】
【００２４】
１  容器
１０  容器本体
１１、１２  壁
１３、１４  取付部
２１  取出し口
３０  蓋
４０  板状弾性体
【図１】
2011025971.tif 000003
【図２】
2011025971.tif 000004
【図３】
2011025971.tif 000005